(57)【特許請求の範囲】
【請求項１】
柱材と水平材で囲まれる空間に嵌め込んで一体に結合して躯体を構成するための躯体構成パネルであって、
断面積が前記柱材または水平材以上に大断面で、端部が直接または間接に前記柱材または水平材に結合される主材と、
断面積が前記柱材または水平材以上に大断面で、前記主材と交差する方向に延びて一端が前記主材に結合される第２主材と、
該第２主材の他端を結合するとともに、前記主材と共同で第２主材を囲み、前記柱材または水平材に重合状態で結合される副材を有し、パネル状に形成されて、
前記柱材間および／または水平材間に固定される
躯体構成パネル。
【請求項２】
前記主材、第２主材及び副材で囲まれる空間に、これらの厚さ方向の中間位置に外周縁を食い込ませた状態で面材が嵌め込まれた
請求項１に記載の躯体構成パネル。
【請求項３】
前記副材のうち前記主材と対向する部分がその主材と同断面の部材からなる
請求項１または請求項２に記載の躯体構成パネル。
【請求項４】
前記主材が柱材と平行または柱材に傾きをもって上下方向に延びるように配されて縦長形状に形成された
請求項１から請求項３のうちいずれか一項に記載の躯体構成パネル。
【請求項５】
前記主材が水平材と平行に延びるように配されて横長形状に形成された
請求項１から請求項３のうちいずれか一項に記載の躯体構成パネル。
【請求項６】
前記主材が柱材と平行または傾きをもって上下方向に延びるように配されて縦長形状に形成された請求項１から請求項５のうちいずれか一項に記載の２枚の躯体構成パネルと、
前記主材が水平材と平行に延びるように配されて横長形状に形成された請求項１から請求項５のうちいずれか一項に記載の１枚の躯体構成パネルを有し、
これらが門型をなすように相対向する部分同士を重合状態で結合して門型パネルとした
躯体構成パネル。
【請求項７】
前記主材および／または第２主材に、他部材との結合に際して埋め込まれてボルトと結合する結合コア部材を保持するための保持部が形成された
請求項１から請求項６のうちのいずれか一項に記載の躯体構成パネル。
【請求項８】
前記請求項１から請求項７のうちのいずれか一項に記載の躯体構成パネルを用いて構成された
躯体。
【発明の詳細な説明】
【技術分野】
【０００１】
この発明は、建築物の躯体を構成するための躯体構成パネルに関し、より詳しくは、耐震性の高い建築物の建築や、既存の建築物の補強に使用できるような躯体構成パネルに関する。
【背景技術】
【０００２】
木造建築を例にとると、建築物の構法には大きく分けて、建築物の骨組みにあたる最も重要な部分である躯体を柱や梁、筋かい等の線材で構成する軸組構法と、フレーム状に組まれた木材に構造用合板を打ちつけた面材で構成する枠組壁構法（ツーバイフォー工法）がある。
【０００３】
これらにはそれぞれ一長一短があり、長所として軸組構法では、設計の自由度が高く増改築がしやすいという利点がある。枠組壁構法では、軸組構法の建築物と比較して耐震性などに優れているというメリットがある。しかし、軸組構法には、上記のような利点があるほかに、日本古来の建築物である点や、柱を露出させたりして建築物の美しさを表現できる点などから、高い需要がある。
【０００４】
このような軸組構法であるが、熟練工の減少や高耐久性の要求などの点から、新しい軸組構法として、パネル化構法（たとえば下記特許文献１、２、３参照）や、接合方式の改良構法(たとえば下記特許文献４参照)が提案されている。
【０００５】
パネル化構法は、床と壁をパネルで構成したり、躯体を構成する柱などの垂直材や横架材、土台などの水平材に構造用合板からなるパネルを張り付けたりするもので、現場での工期短縮、熟練工の不要化、現場での廃材の減少、高断熱化・高気密化の実現、剛床・高耐力の壁の確保などの利点を有する。接合方式の改良構法は、接合金物を用いることにより継手や仕口の簡略化を図るもので、上記の熟練工の不要化、現場での廃材の減少等の利点を有する。
【０００６】
しかし、剛床・高耐力の壁の確保により耐震性を向上できるような上記のパネル化構法では間柱や根太、筋かいなどの省略を図り、これに付随してパネルによる剛性を得ようとするものに過ぎない。いわば、互いに組まれた垂直材と水平材を補強しようとするものであって、垂直材と水平材からなる構造自体の耐震性を向上するというものではない。このため、たとえば上記のパネル化構法では、パネルは垂直材や水平材との間に隙間ができないように釘打ちしなければならないのにもかかわらず、材料の乾燥による寸法の狂いのため、現場で組まれた垂直材や水平材からなる構造体とパネルとの精度にどうしても開きができてしまい、所望の組付けを行うことができないことがあり、施工性が悪く、計算通りの強度を得られない場合がある。
【０００７】
既存の建築物の耐震補強をする方法として、下記の特許文献５に開示されたものがあるが、これも垂直材と水平材により組まれたものを補強するだけである。すなわち、この耐震補強方法は、既存住宅の片掛け筋かい箇所に室内側から新規の筋かいを加えて両掛けとし、筋かいを特定の筋かい固定金物で固定するというものである。
【０００８】
【特許文献１】実開平５−４０４１３号公報
【特許文献２】特開平８−３０２８６１号公報
【特許文献３】登録実用新案第３０２５０６９号公報
【特許文献４】特開２００１−１５２５５２号公報
【特許文献５】特許第３９６７６２５号公報
【発明の開示】
【発明が解決しようとする課題】
【０００９】
このように、軸組構法の弱点を補うべく新しい軸組構法が考えられてきたが、いずれも垂直材と水平材とで組まれた構造に添えて、その構造の強度を補うというものであり、十分ではなかった。また、これまで、垂直材と水平材からなる構造体の強度を高める躯体構成パネルはなかった。
【００１０】
そこで、この発明は、より耐震強度の高い躯体を簡単な施工で得られるようにすることを主たる目的とする。
【課題を解決するための手段】
【００１１】
そのための手段は、柱材と水平材で囲まれる空間に嵌め込んで一体に結合して躯体を構成するための躯体構成パネルであって、断面積が前記柱材又は水平材以上に大断面で、端部が直接または間接に前記柱材または水平材に結合される主材と、断面積が前記柱材または水平材以上に大断面で、前記主材と交差する方向に延びて一端が前記主材に結合される第２主材と、該第２主材の他端を結合するとともに、前記主材と共同で第２主材を囲み、前記柱材または水平材に重合状態で結合される副材を有し、パネル状に形成されて、前記柱材間および／または水平材間に固定される躯体構成パネルである。ここで、パネル状とは、うすく平たいという意味より広く、全体として一定の面積を有しており板のようにみなせる形態のものを指し、部分的に開口部があるものも含む意味である。
【００１２】
この躯体構成パネルは、柱材と水平材を有する躯体を構成する際に、柱材と水平材を有する構造に一体に組み込んで使用される。
【００１３】
上記主材、第２主材及び副材で囲まれる空間には、これらの厚さ方向の中間位置に外周縁を食い込ませた状態で面材を嵌め込んで、剛構造とすることができる。面材があらかじめ組み込まれて一体化されているので、柱材と水平材を有する躯体に組み込む場合には、パネル化構法でパネルを取り付けるときのような寸法の狂いによる施工精度の低下を防げる。
【００１４】
前記副材のうち前記主材と対向する部分がその主材と同断面の部材からなるものであってもよい。
【００１５】
また、躯体構成パネルは、上記主材が柱材と平行または柱材に傾きをもって上下方向に延びるように配されて縦長形状に形成されたものであるも、上記主材が水平材と平行に延びるように配されて横長形状に形成されたものであるもよい。
【００１６】
さらに、上記主材が柱材と平行または傾きをもって上下方向に延びるように配されて縦長形状に形成された２枚の躯体構成パネルと、上記主材が水平材と平行に延びるように配されて横長形状に形成された１枚の躯体構成パネルを門型に組んで門型パネルとした躯体構成パネルとすることもできる。
【００１７】
躯体構成パネルを用いた躯体の構成を容易にすべく、上記主材および／または第２主材に、他部材との結合に際して埋め込まれてボルトと結合する結合コア部材を保持するための保持部が形成することもできる。
【００１８】
別の手段は、上記躯体構成パネルを用いて構成された躯体である。
【発明の効果】
【００１９】
以上のように、この発明によれば、柱材または水平材以上に大断面で強度が高い主材を有しており、これが柱材または水平材に結合されるので、柱材と水平材を有した躯体と一体になり、相互に支えあう。このため、このため、耐震強度の高い躯体を得られる。しかもパネル状であるので、施工は容易である。
【００２０】
特に、上記柱材に加えて、主材と同様に強度が高く主材に交差する方向に延びて一端が主材に結合される第２主材を備えれば、さらに強度が高く、主材と第２主材とが相互に支えあうように組み付けられた構造を保持する。このため、さらに耐震強度の高い躯体を得られる。そのうえ、主材と第２主材に加えて副材を有し、この副材が主材と共同で第２主材を囲んで１枚の部材に形成できるので、組み付けは単なる結合や嵌め込みのようにして容易に行え、施工は簡単である。
【発明を実施するための最良の形態】
【００２１】
より耐震強度の高い躯体を簡単な施工で得られるようにするという目的を、断面積が柱材または水平材以上に大断面で、端部が直接または間接に柱材または水平材に結合される主材と、断面積が柱材または水平材以上に大断面で、主材と交差する方向に延びて一端が主材に結合される第２主材と、該第２主材の他端を結合するとともに、主材と共同で第２主材を囲み、柱材または水平材に重合状態で結合される副材を有し、パネル状に形成されて、柱材間および／または水平材間に固定される躯体構成パネルという構成にて実現した。
【００２２】
以下、この発明を実施するための一形態を、図面を用いて説明する。  
図１は、木造軸組構造からなる２階建て建築物の躯体１１の一例を示す正面図であり、この躯体１１は、１階に大開口部分１２を有し、この大開口部分１２が、通し柱１３，１３と梁材１４と、これらに一体に結合される門型パネル２１で構成されている。
【００２３】
図中、１５は基礎、１６は土台で、上記の通し柱１３，１３は土台１６の上に２階の軒高まで延びている。また、この通し柱１３，１３の長さ方向の中間位置の１階の軒高位置に上記の梁材１４が横架されている。
【００２４】
上記の門型パネル２１は、２枚の袖パネル３１，３１と、１枚の梁パネル４１で構成されている。門型パネル２１、袖パネル３１，３１、梁パネル４１のいずれも上記の躯体構成パネルである。
【００２５】
図２は、門型パネル２１の正面図であり、この図に示すように、袖パネル３１は、縦長形状に形成されている。すなわち、柱材としての通し柱１３と平行に上下方向に延びる主材３２と、該主材３２の長さ方向の中間部、具体的には長さを略三等分する位置の２箇所、より具体的には三等分する位置よりも上下両側に寄った位置に、水平方向に延びて一端が主材３２に結合される第２主材３３，３３と、これら第２主材３３，３３の他端を結合するとともに主材３２と共同で第２主材３３，３３を長方形に囲む副材３４と、主材３２、第２主材３３，３３及び副材３４で囲まれる開口空間を塞ぐ面材３５とを有する。
【００２６】
主材３２には、図３に示すように通し柱１３および梁材１４と同断面の角材が使用される。すなわち、この例において通し柱１３および梁材１４がａ×ｂの正方形の角材であるので主材３２もａ×ｂの正方形の角材である。
【００２７】
第２主材３３にも、通し柱１３および梁材１４と同断面の角材が使用される。すなわち、通し柱１３および梁材１４がａ×ｂの正方形の角材であるので第２主材３３もａ×ｂの正方形の角材である。
【００２８】
なお、いずれの部材でも、通し柱１３や梁材１４よりも大断面の角材を使用することができる。縦横（ａ，ｂ）のいずれかが大きい断面長方形の角材でもよいが、厚さ方向の大きさａは同一であるのが好ましい。
【００２９】
副材３４には、縦横の一方ａが主材３２および第２主材３３，３３のそれと同一で、他方ｂがそれよりも小さい長方形断面の角材が３本使用され、これらがコ字状に組まれる。主材３２と平行な１本の第１副材担体３４ａは主材と略同一長さに形成され、その長さ方向の中間部分の２箇所に各第２主材３３，３３の他端が結合される。第２主材３３，３３と平行な２本の第２副材担体３４ｂ，３４ｂは、第２主材３３と略同じ長さに形成され、一端が主材３２の端部に結合される。
【００３０】
そして、主材３２、第２主材３３，３３、副材３４の内周面における厚さ方向の中間位置には、適宜深さの溝部３６が形成され、この溝部３６に外周縁が食い込むように上記の面材３５が嵌め込まれる。面材３５は構造用合板からなり、空間全体を塞ぐ長方形状である。
【００３１】
なお、上記の部材同士の結合は、適宜の金物やボルト、釘など、必要によっては接着剤を使用して行われる。以下、同様である。
【００３２】
上記の梁パネル４１は、横長形状に形成されている。すなわち、横架材としての梁材４１と平行に水平方向に延びる主材４２と、該主材４２の長さ方向の中間部、具体的には長さを略五等分する位置の４箇所に、垂直方向に延びて一端が主材４２に結合される第２主材４３…と、これら第２主材４３…の他端を結合するとともに主材４２と共同で第２主材４３…を長方形に囲む副材４４と、主材４２、第２主材４３…及び副材４４で囲まれる開口空間を塞ぐ面材４５…とを有する。
【００３３】
主材４２には、図３に示すように通し柱１３および梁材１４と同断面の角材が使用される。すなわち、この例において通し柱１３および梁材１４がａ×ｂの正方形の角材であるので主材４２もａ×ｂの正方形の角材である。
【００３４】
第２主材４３…にも、通し柱１３および梁材１４と同断面の角材が使用される。すなわち、通し柱１３および梁材１４がａ×ｂの正方形の角材であるので第２主材４２もａ×ｂの正方形の角材である。
【００３５】
なお、いずれの部材でも、通し柱１３や梁材１４よりも大断面の角材を使用することができる。縦横（ａ，ｂ）のいずれかが大きい断面長方形の角材でもよいが、厚さ方向の大きさａは同一であるのが好ましい。
【００３６】
副材４４には、縦横の一方ａが主材４２および第２主材４３…のそれと同一で、他方ｂがそれよりも小さい長方形断面の角材が３本使用され、これらが横コ字状に組まれる。主材４２と平行な１本の第１副材担体４４ａは主材４２と略同一長さに形成され、その長さ方向の中間部分の４箇所に各第２主材４３…の他端が結合される。第２主材４３…と平行な２本の第２副材担体４４ｂ，４４ｂは、第２主材４３…と略同じ長さに形成され、一端が主材４２の端部に結合される。
【００３７】
そして、主材４２、第２主材４３…、副材４４の内周面における厚さ方向の中間位置には、適宜深さの溝部４６が形成され、この溝部４６に外周縁が食い込むように上記の面材４５が嵌め込まれる。面材４５は構造用合板からなり、空間全体を塞ぐ長方形状である。
【００３８】
図３中、４７は面材４５の両面に張り付けた状態で、主材４２と第１副材担体４４ａとの間に突っ張るように取り付けられた間柱であり、間隔が広い部位に取り付けられる。図１、２、３に図示していないが、上記の袖パネル３１の場合でも同様である。
【００３９】
これら袖パネル３１と梁パネル４１は、図３に示したように組んで一体化して、門型パネル２１としてから、通し柱１３と梁材１４と土台１６に囲まれる空間に嵌め込まれ一体に結合され、軸組構造の躯体１１を構成する。あるいは、それぞれを別々に通し柱１３と梁材１４と土台１６に囲まれる空間内の所定箇所に嵌め込んで一体化し、空間内で門型パネル２１として、軸組構造の躯体１１を構成する。袖パネル３１と梁パネル４１の副材３４，４４は、通し柱１３や梁材１４に対して重合された状態でこれらと一体になる。そして、袖パネル３１と梁パネル４１の主材３２，４２および第２主材３３，４３は、通し柱１３および梁材１４などの軸組を構成する他の線材と一体になって互いに支えあう。袖パネル３１と梁パネル４１の結合も、門型パネル２１と通し柱１３等との結合も、適宜の金物やボルト、釘など、必要によっては接着剤を使用して行われる。
【００４０】
なお、図１、２、３の例では、袖パネル３１，３１を梁パネル４１の両端部の下側を支えるように組みつけた例を示したが、図４に示したように、梁パネル４１の両端を袖パネル３１，３１で挟み込むように組み付けることもできる。これらのいずれを採用するかは、躯体全体のバランスを考慮して決める。
【００４１】
上記のような門型パネルを用いて構成された軸組構造の躯体１１は、門型パネル２１を構成する袖パネル３１と梁パネル４１の主材３２，４２が、通し柱１３を含む柱材や、梁材１４を含む横架材と平行に並んで一体となる。しかも、この主材３２，４２は、通し柱１３や梁材１４に対して第２主材３３，４３を介して一体となる。そしてこれら通し柱１３と梁材１４と主材３２，４２と第２主材３３，４３は、格子を形成するように結合されるとともに、内側には面材３５，４５が嵌め込まれており、全体として剛結合となる。上記の主材３２，４２と第２主材３３，４３は、通し柱１３や梁材１４と同断面の角材で構成されており、通し柱１３や梁材１４と同等の材料強度を有している。このため、高強度の躯体１１が得られる。
【００４２】
しかも、門型パネル２１を構成する梁パネル４１の主材４２は、梁材１４と平行に並んで梁材１４との間には第２主材４３と間柱４７と面材４５とを有し、一体化された構造であるので、上からの大きな荷重でも支持できる。このため、図１に示したような大開口部分１２を形成することが可能である。
【００４３】
また、門型パネル２１を構成する袖パネル３１が梁パネル４１の左右両端部を支えるように組み込まれており、袖パネル３１，３１もまた高い剛性を持っているので、梁パネル４１を良好に支持できる。この支持において、袖パネル３１，３１は梁パネル４１と面で結合されているので剛結合を実現でき、通し柱１３と梁材１４との大開口部分１２側を剛結合で支持する構造となる。
【００４４】
つまり、通し柱１３と梁材１４で組まれた軸組をパネルや筋かいを添えて強度を補うのとは異なり、門型パネル２１も通し柱１３や梁材１４と同等の重要さをもって一体となって躯体１１を構成する。
【００４５】
しかも、門型パネル２１を構成する袖パネル３１と梁パネル４１も通し柱１３や梁材１４などとともに工場で加工でき、現場において同等の部材として組み立てるので、現場においてパネルを嵌め込んだり張り付けたりする場合のような、寸法の狂いによる施工精度の劣化を抑え、所望の、適切な組み付け状態をもった躯体を形成することができる。
【００４６】
また、現場での施工は、通し柱１３や梁材１４などと袖パネル１３と梁パネル１４を適宜結合して組み立てるだけであるので、熟練工でなくとも簡易迅速に行える。
【００４７】
さらに、上述のように副材３４，４４が通し柱１３や梁材１４に重合状態で一体に結合する構成の場合、建築物のリフォームをするのにも効果的である。すなわち、壁を打ち抜いて筋かいなどの不要な部材を除去して、柱材と横架材と土台のみにしてから、これらに囲まれる空間に適した形状・寸法に形成された門型パネル２１を嵌め込むように結合すれば、既存の建築物を耐震性良好な建築物に生まれ変わらすことができる。
【００４８】
なお、袖パネル３１と梁パネル４１、およびこれらからなる門型パネル２１と通し柱１３や梁材１４との結合は、図５に示したような結合金具５１を用いて行うと簡易迅速に施工が行え、そのうえ高強度に結合できる。
【００４９】
結合金具５１は、コア部材５２とボルト５３、必要なナット５４で構成される。コア部材５２は、丸棒状に形成され、ボルト５３を螺合する部分に雌ねじ孔を、ボルトを挿通する部分には貫通孔が形成されている。
【００５０】
図５（ａ）の例では、コア部材５２の横断面における中心位置に、長さ方向に貫通する第１雌ねじ孔５２ａを有するとともに、これと直交する方向に延びる第２雌ねじ孔５２ｂを有する。コア部材５２の長さや、雌ねじ孔、貫通孔（図示せず）の位置、長さ、個数は、コア部材の使用箇所に応じて適宜設定される。
【００５１】
図５（ｂ）の例では、コア部材５２の長さ方向の両側部分に、コア部材５２の長さ方向と直交する方向に延びる１個ずつの貫通孔５２ｃを有する。貫通孔５２ｃの口縁はテーパ状に形成されている。この場合も、コア部材５２の長さや、雌ねじ孔（図示せず）、貫通孔の位置、長さ、個数は、コア部材５２の使用箇所に応じて適宜設定される。
【００５２】
図６に、これらの結合金具５１を用いて躯体を構成した例を示す。使用に当たっては、門型パネル２１の主材３２，４２と第２主材３３，４３の所定箇所にあらかじめコア部材５２を収容保持する保持部６１を形成しておく。また、主材３２，４２と第２主材３３，４３、それにその他の部材の必要な箇所には、ボルト５３を挿通するボルト挿通孔６２と、ボルト５３の頭部やナット５４を埋没させる座彫り部６３を形成しておく。上記保持部６１は、主材３２，４２と第２主材３３，４３の横断面における中心部に形成するのが好ましい。
【００５３】
ボルト５３によって主材３２，４２や第２主材３３，４３の保持部６１に固定されたコア部材５２を、ボルトで引き付けるなどして強固な固定が行われる。このため、相互の部材が強固に結合した、良好な固定状態が得られる。
【００５４】
以下、その他の例について説明する。この説明において、先の構成と同一または同等の部位については、同一の符号を付してその詳しい説明を省略する。
【００５５】
躯体構成パネルは、門型パネル２１に限らず、たとえば上記の袖パネル３１と同一構造の躯体構成パネルとして、また上記の梁パネルと同一構造の躯体構成パネルとしてそれぞれ単独で使用することもできる。図７（ａ）は、通し柱１３と梁材１４と土台１６とで囲まれた部分の通し柱１３に接する部分に、縦長に形成された躯体構成パネル７１を結合した例を示している。図７（ｂ）は、通し柱１３と梁材１４と土台１６とで囲まれた部分の梁材１４に接する部分に、横長に形成された躯体構成パネル８１を結合した例を示している。また、図示はしないが、これらのような躯体構成パネル７１，８１は、躯体１１全体の中で、適宜使用されうる。たとえば縦長に形成された躯体構成パネル７１は、管柱などの代わりとして使用したりすることができ、また横長に形成された躯体構成パネル８１は、差し鴨居などの代わりとして使用したりすることができる。
【００５６】
図８は、縦長に形成された躯体構成パネル７１、先の例でいえば袖パネル３１の他の例を示している。この躯体構成パネル７１（袖パネル３１）は、主材３２が柱材としての通し柱１３に対して傾きをもって上下方向に延びるように配されて縦長形状に形成されている。
【００５７】
主材３２は、上方側が通し柱１３から離れる方向に傾けられ、この主材３２に一端が結合される第２主材３３，３３は水平に延びる。そして、主材３２と共同して第２主材３３，３３を囲む副材３４は、２本の副材担体からなる。すなわち、１本の第１副材担体３４ａは、垂直方向に延び使用時に通し柱１３に重合状態で結合する部分であり、他の第２副材担体３４ｂは、水平方向に延びて使用時に梁材１４の下面に重合状態で結合する部分である。また、主材３２と第２主材３３と副材３４との間にできる三角形、台形の３個の開口空間には、開口空間に対応した形状の面材３５…が嵌め込まれている。
【００５８】
図８（ａ）は、梁パネル４１を一体化して門型パネル２１とする例である。図８（ｂ）は、縦長形状の躯体構成パネル７１（袖パネル３１）のみを固定した例である。
【００５９】
いずれの場合でも、躯体構成パネル７１（袖パネル３１）の斜めに延びる主材３２が、方づえのように直角のすみ部を固めて、躯体１１の変形を積極的に防ぐように働く。
【００６０】
図９は、特に新設に適した門型パネル２１の部分正面図である。この門型パネル２１を構成する梁パネル４１は、副材４４における主材４２と平行な第１副材担体４４ａが梁材１４となる角材で構成されている。その他の構成は、上述の説明と同一である。
【００６１】
このように構成された門型パネル２１は、図９に示したように、土台１６と通し柱１３で形成されるすみ部に対して、門型パネル２１の下端面が土台１６に、側面が通し柱１３に重合した状態で一体に結合される。梁材１４（第１副材担体４４ａ）も一体であるので、躯体１１全体の施工がより簡単に行える。
【００６２】
図１０は、縦長に形成された躯体構成パネル７１の他の例を示す斜視図で、この躯体構成パネル７１は管柱などとして使用できる。この躯体構成パネル７１は、副材３４の一部である主材３２と平行な第１副材担体３４ａを、主材３２と同断面の角材からなる管柱で構成されている。その他の構成は上述の袖パネル３１と同一である。
【００６３】
このように構成された躯体構成パネル７１は、管柱のように、土台と横架材の間、また横架材同士間などに固定して使用される。施工が簡単である上に高い強度を得られる。
【００６４】
図１１は、２本の柱材（図示例では、通し柱１３と管柱１７）間に結合される縦長に形成された躯体構成パネル７１の例を示す正面図である。
【００６５】
この躯体構成パネル７１は、断面積が柱材（通し柱１３、管柱１７）または横架材（梁材１４または胴差し）以上に大断面で両端部が間接に柱材に結合される水平な２本の主材３２，３２と、これらを長方形に囲む副材３４と、主材３２，３２と副材３４とで囲まれる３個の開口空間に嵌め込まれる面材３５…と、面材３５の両面における主材３２，３２間、及び主材３２と副材３４との間に固定される間柱３７とを有する。
【００６６】
上記の２本の主材３２，３２は、前述の袖パネル３１（図２参照）の場合と同様に、パネル高さを略三等分する位置の２箇所、より具体的には三等分する位置よりも上下両側に寄った位置に保持される。
【００６７】
上記の副材３４は、主材３２の端部を結合し主材３２と直交する方向に延びる２本の長い第１副材担体３４ａ，３４ａと、主材３２と平行に配される上下両端の２本の第２副材担体３４ｂ，３４ｂとからなる。
【００６８】
上記の面材３５と間柱３７は、前述の構成と同一である。
【００６９】
このように構成された躯体構成パネル７１は、柱材同士を連結した状態の２本の主材３２，３２と、これを保持するその他の部材とによって、連結された２本の柱材（通し柱１３、管柱１７）と、横架材（梁材１４または胴差し）と土台１６で囲まれる部分全体を剛結合するので、横力による歪を抑制できる強固な躯体を構成できる。しかも、躯体の構成は嵌め込みで行えるので施工も容易であるとともに、リフォームにも好適に使用できる。
【００７０】
図１２は、鉄骨建築物や木造建築物の躯体の形成に使用される躯体構成パネル９１である。この躯体構成パネル９１は、上述のような袖パネル３１としても梁パネル４１としても使用できる。
【００７１】
図１２（ａ）の躯体構成パネル９１は、Ｈ型鋼からなる主材９２と、同じ断面形状を有する２本の第２主材９３，９３と、主材９２と同寸で主材９２と平行な第１副材担体９４ａと、主材９２と第１副材担体９４ａの両端を連結する２個の第２副材担体９４ｂ，９４ｂとからなる。第１副材担体９４ａと第２副材担体９４ｂ，９４ｂが副材９４を構成する。第２副材担体９４ｂはプレートで構成され、結合用に複数の貫通孔９４ｃが形成されている。主材９２は先の例の主材３２，４２と、第２主材９３，９３は先の例の第２主材３３，４３と、第１副材担体９４ａは先の例の第１副材担体３４ａ，４４ａと、第２副材担体９４ｂ，９４ｂは先の例の第２副材担体３４ｂ，４４ｂと同等の構成要素である。
【００７２】
図１２（ｂ）の躯体構成パネル９１は、図１２（ａ）の第１副材担体９４ａが、第２副材担体９４ｂと同様のプレートで構成されている。
【００７３】
このような躯体構成パネル９１を用いれば、鉄骨で構成される躯体においても高強度の構造が簡単な施工で得られる。
【００７４】
この発明の構成と上述の一形態の構成との対応において、  
この発明の躯体構成パネルは、門型パネル２１、袖パネル３１、梁パネル４１、躯体構成パネル７１，８１，９１に対応し、  
柱材は、通し柱１３、管柱１７に対応し、 
結合コア部材は、コア部材５２に対応するも、  
この発明は上述の構成のみに限定されるものではなく、その他の構成を採用することができる。  
たとえば、梁材部分に使用する躯体構成パネルにおいても主材を梁材に対して斜めに傾けて、方づえのようにするもよい。
【００７５】
また、躯体構成パネルで垂れ壁や腰壁などの様々な部位を構成することもできる。
【図面の簡単な説明】
【００７６】
【図１】躯体の正面図。
【図２】門型パネルの正面図。
【図３】門型パネルの一部破断斜視図。
【図４】他の例に係る門型パネルの正面図。
【図５】結合金物の斜視図。
【図６】結合金物を用いて固定した状態の躯体の部分正面図。
【図７】他の例に係る躯体構成パネルの正面図。
【図８】他の例に係る躯体構成パネルの正面図。
【図９】他の例に係る躯体構成パネルの正面図。
【図１０】他の例に係る躯体構成パネルの斜視図。
【図１１】他の例に係る躯体構成パネルの正面図。
【図１２】他の例に係る躯体構成パネルの斜視図。
【符号の説明】
【００７７】
１１…躯体
１３…通し柱
１４…梁材
１７…管柱
２１…門型パネル
３１…袖パネル
３２…主材
３３…第２主材
３４…副材
３５…面材
４１…梁パネル
４２…主材
４３…第２主材
４４…副材
４５…面材
５２…コア部材
６１…保持部
７１，８１，９１…躯体構成パネル
９２…主材
９３…第２主材
９４…副材
【図１】
0004869260.tif 000002
【図２】
0004869260.tif 000003
【図３】
0004869260.tif 000004
【図４】
0004869260.tif 000005
【図５】
0004869260.tif 000006
【図６】
0004869260.tif 000007
【図７】
0004869260.tif 000008
【図８】
0004869260.tif 000009
【図９】
0004869260.tif 000010
【図１０】
0004869260.tif 000011
【図１１】
0004869260.tif 000012
【図１２】
0004869260.tif 000013